【事件の表示】
　特願２０１５−　１８６８３「スイッチング電源装置」拒絶査定不服審判事件〔平成２８年　８月　８日出願公開、特開２０１６−１４４３１０、請求項の数（６）〕について、次のとおり審決する。
【結　論】
　原査定を取り消す。
　本願の発明は、特許すべきものとする。
【理　由】
第１　手続の経緯
　本願は，平成２７年２月２日の出願であって，平成３０年１０月２２日付けで拒絶理由通知がされ，平成３０年１２月２６日に意見書が提出されるとともに手続補正がされ，平成３１年３月４日付けで拒絶査定（原査定）がされ，これに対し，令和１年６月１０日に拒絶査定不服審判の請求がされると同時に手続補正がされたものである。
第２　原査定の概要
　原査定（平成３１年３月４日付け拒絶査定）の概要は次のとおりである。
　本願の請求項１，３〜７に係る発明は，以下の引用文献１乃至３に基づいて，その発明の属する技術の分野における通常の知識を有する者（以下，「当業者」という。）が容易に発明できたものであるから，特許法第２９条第２項の規定により特許を受けることができない。
　　　　　　　　　　　　　　　引用文献等一覧
引用文献１．特開２０１３−２２３２８０号公報
引用文献２．特開２０１１−１０３９７号公報（周知技術を示す文献）
引用文献３．特開平１１−１８４２５号公報（周知技術を示す文献）
第３　本願発明
　本願請求項１乃至６に係る発明（以下，それぞれ「本願発明１」乃至「本願発明６」という。）は，令和１年６月１０日付けの手続補正で補正された特許請求の範囲の請求項１乃至６に記載された事項により特定される発明であり，以下のとおりのものである。
「　【請求項１】
　トランスの一次巻線を介して流れる電流をオン・オフするスイッチング素子と、
　前記トランスの二次巻線に誘起される電圧を整流・平滑化して所定の出力電圧を得る出力回路と、
　前記出力回路の前記出力電圧を抵抗分割して検出される検出電圧と、所定の基準電圧との誤差電圧として求められるフィードバック電圧に従って前記スイッチング素子のオン・オフを制御する制御回路と、
　前記トランスの補助巻線から取り出される電圧に応じた第１電源電圧と前記トランスの補助巻線の中間タップから取り出される電圧に応じた第２電源電圧とを生成可能であって、前記第１電源電圧または前記第２電源電圧を前記制御回路へと供給する電源電圧生成回路と、
　前記出力電圧が供給される負荷の重さに応じて前記出力電圧を切換える出力電圧切換回路と、
　前記出力電圧の切換えに連動して、前記電源電圧生成回路が供給する前記第１電源電圧と前記第２電源電圧とを切換える電源電圧切換回路と、
を備え、
　前記出力電圧切換回路は、前記負荷の重さに応じて、前記出力電圧に対する抵抗分割比を変更して前記フィードバック電圧の生成条件を切換えるものであり、
　前記制御回路は、前記制御回路に供給される電源電圧が最大定格電圧より下の電圧閾値ＯＶＰより高くなると機能する過電圧保護手段と、電源電圧が電圧閾値ＵＶＬＯより低くなると機能する低電圧誤動作防止手段とを有し、
　前記制御回路に供給される電源電圧は、前記電源電圧切換回路による切換の前後で、前記補助巻線の巻数と前記補助巻線の中間タップまでの巻数とにより、電圧閾値ＯＶＰより２Ｖ低い上限および電圧閾値ＵＶＬＯより３Ｖ高い下限を有する推奨範囲に入るよう調整されるとともに、
　前記制御回路は、前記電源電圧切換回路による切換の前後で、前記過電圧保護手段と前記低電圧誤動作防止手段とを継続して機能させるスイッチング電源装置。
　　【請求項２】
　前記制御回路に供給される電源電圧は、前記電源電圧切換回路による切換の前後で等しく設定されている請求項１に記載のスイッチング電源装置。
　　【請求項３】
　前記制御回路および前記電源電圧切換回路は、集積回路である請求項１または２に記載のスイッチング電源装置。
　　【請求項４】
　前記電源電圧生成回路は、前記トランスの補助巻線から取り出される電圧を整流平滑化し前記第１電源電圧を生成する第１整流平滑回路と、前記トランスの補助巻線の中間タップから取り出される電圧を整流平滑化し前記第２電源電圧を生成する第２整流平滑回路と、を有し、
　前記電源電圧切換回路は、前記第１整流平滑回路と前記第２整流平滑回路がそれぞれ生成した電源電圧を択一的に選択するスイッチ回路を有する請求項１から３のいずれか１項に記載のスイッチング電源装置。
　　【請求項５】
　前記スイッチ回路は、相補的にオン・オフして前記第１電源電圧または前記第２電源電圧の一方を出力する一対のスイッチ素子を含んで構成される請求項４に記載のスイッチング電源装置。
　　【請求項６】
　前記電源電圧切換回路は、前記出力電圧を通常の負荷駆動電圧に設定する場合には、前記第２電源電圧に切換え、前記出力電圧を前記負荷駆動電圧よりも低い待機動作電圧に設定する場合には、前記第１電源電圧に切換えるものである請求項１から５のいずれか１項に記載のスイッチング電源装置。」
第４　引用文献，引用発明等
１．引用文献１について
（ア）本願の出願日前に頒布され，原査定の拒絶の理由に引用された，特開２０１３−２２３２８０号公報（以下，これを「引用文献１」という。）には，図面とともに次の事項が記載されている。（下線は当審により付与。以下同じ。）
ａ　「【発明が解決しようとする課題】
【０００４】
　ところで、このような電源制御装置から電源電圧が供給される電気機器には、電力消費を抑制するためのスリープモードなどを有し、供給される電源電圧として通常時には高電圧を必要とし、スリープモード時には低電圧を必要とするものがある。また、それに合わせて、電源制御装置においても２次側の出力電圧を高低の二段階に切り替えるものがある。しかし、上述した電源制御装置では、過電圧が生じていない通常時には、常に第１の補助巻線を用いており、第２の補助巻線に切り替えることは考慮されていない。このため、２次側が低電圧のときを基準として第１の補助巻線の巻数を定めると、高電圧に切り替えたときに制御ＩＣに上限を超えた駆動用電圧が供給される場合があり、機器保護の観点から好ましくない。逆に、２次側が高電圧のときの電圧を基準として第１の補助巻線の巻数を定めると、低電圧に切り替えたときに制御ＩＣに下限を下回る駆動用電圧が供給される場合があり、駆動用電圧を十分に供給できないおそれがある。
【０００５】
　本発明の電源制御装置は、過電圧が生じていない通常時においても、制御ＩＣに過大な電圧が作用するのを防止しつつ安定した駆動用電圧を制御ＩＣに供給することを主目的とする。」
ｂ　「【発明を実施するための形態】
【００１６】
　次に、本発明の実施の形態を図面に基づいて説明する。図１は本発明の一実施形態であるＡＣアダプター１０から電源供給されるプリンター６０の概略構成図であり、図２はＡＣアダプター１０の電源回路２０の回路構成図である。
ＡＣアダプター１０は、商用電源（ＡＣ１００Ｖなど）を入力し高電圧の直流電圧（ＤＣ４０Ｖなど）か低電圧の直流電圧（ＤＣ１０Ｖなど）のいずれかに変換してプリンター６０に供給する
　　　　　　　　　　　　　　　・・・中略・・・
【００１９】
　
ＡＣアダプター１０の電源回路２０は
第１の整流平滑回路２１と、スイッチング回路２３と、トランス２５と、第２の整流平滑回路２７と、定電圧制御回路３２と、駆動用電圧出力回路３４と、制御ＩＣ３８とを備える
【００２０】
　第１の整流平滑回路２１は、商用電源に接続される４つのダイオードが組み合わされたダイオードブリッジＤＢ１と、ダイオードブリッジＤＢ１に接続された平滑コンデンサーＣ１とにより構成されている。この第１の整流平滑回路２１では、商用電源をダイオードブリッジＤＢ１により全波整流し平滑コンデンサーＣ１により平滑した直流電圧を出力する。
【００２１】
　
スイッチング回路２３は、ゲートが制御ＩＣ３８の後述するＤＲＶ端子に接続されドレインがトランス２５に接続されソースがグランドに接地されたスイッチング素子（ＭＯＳＦＥＴ）ＱＦ１と、図示しない抵抗などとにより構成されている。このスイッチング回路２３では、第１の整流平滑回路２１から出力される直流電圧をスイッチング素子ＱＦ１のスイッチング動作により交流電圧に変換する
【００２２】
　
トランス２５は、第１の整流平滑回路２１の出力側とスイッチング回路２３のスイッチング素子ＱＦ１のドレインとに接続された１次巻線２５ａと、第２の整流平滑回路２７に接続された２次巻線２５ｂと、駆動用電圧出力回路３４に接続された第１の補助巻線２５ｃおよび第２の補助巻線２５ｄとにより構成されている
第１の補助巻線２５ｃは、一端がグランドに接地され他端が駆動用電圧出力回路３４の後述するダイオードＤ２のアノード側に接続され、第２の補助巻線２５ｄは、一端がグランドに接地され他端が駆動用電圧出力回路３４の後述するダイオードＤ３のアノード側に接続されている。また、第１の補助巻線２５ｃの巻数が第２の補助巻線２５ｄの巻数よりも多くなるよう構成されている
【００２３】
　
第２の整流平滑回路２７は、トランス２５の２次巻線２５ｂにアノード側が接続されたダイオードＤ４と、ダイオードＤ４のカソード側に接続された平滑コンデンサーＣ４とにより構成されている。この第２の整流平滑回路２７では、トランス２５の２次巻線２５ｂに誘起された交流電圧をダイオードＤ４により半波整流し平滑コンデンサーＣ４により平滑した直流電圧を電力ラインＶｏｕｔとＧＮＤライン間に出力電圧（電圧Ｖｏｕｔ）として出力する
【００２４】
　
定電圧制御回路３２は、フォトカプラーＰＣ１と、２つのツェナーダイオードＺＤ１，ＺＤ２と、トランジスターＱ３とにより構成されている
トランジスターＱ３は、エミッターがグランド（ＧＮＤライン）に接地され、ベースが制御信号ＣＳラインに接続されており、制御信号ＣＳが入力されるときにオンして、制御信号ＣＳが入力されないときにオフする
【００２５】
　この定電圧制御回路３２のツェナーダイオードＺＤ１とツェナーダイオードＺＤ２とは、ツェナー電圧（降伏電圧）が異なり、ツェナーダイオードＺＤ１のツェナー電圧がツェナーダイオードＺＤ２のツェナー電圧よりも高くなっている。ここで、上述したように、
プリンター６０がスリープ状態にあるときには、プリンター６０から制御信号ＣＳが入力されてトランジスターＱ３がオンされるから
電圧Ｖｏｕｔが比較的低い状態であっても
制御ＩＣ３８のＦＢ端子に定電圧制御用の信号（以下、フィードバック信号）が入力されることになる
このとき
フィードバック信号は、電圧Ｖｏｕｔに応じた信号として制御ＩＣ３８に入力される
プリンター６０が通常状態にあるときには、プリンター６０から制御信号ＣＳが入力されずトランジスターＱ３がオフされるから
電圧Ｖｏｕｔが高い（電圧ＶｏｕｔがツェナーダイオードＺＤ１のツェナー電圧よりも高い）状態になると
フィードバック信号が制御ＩＣ３８に入力されることになる
この場合も、フィードバック信号は、電圧Ｖｏｕｔに応じた信号として制御ＩＣ３８に入力される
【００２６】
　
駆動用電圧出力回路３４は、第１の補助巻線２５ｃに誘起された交流電圧をダイオードＤ２と平滑コンデンサーＣ３とにより整流し平滑した電圧Ｖ１を制御ＩＣ３８に出力可能な第１の出力ライン３５ａと、第２の補助巻線２５ｄに誘起された交流電圧をダイオードＤ３と平滑コンデンサーＣ２とにより整流し平滑した電圧Ｖ２を制御ＩＣ３８に出力可能な第２の出力ライン３５ｂとを有している
駆動用電圧出力回路３４は、第１の出力ライン３５ａにドレインとソースが接続されて第１の出力ライン３５ａの導通と遮断とを切り替えるスイッチとしてのスイッチング素子（ＭＯＳＦＥＴ）ＱＦ２と、このスイッチング素子ＱＦ２のオンオフを切り替えるためのスイッチ切替回路３６とを有している
【００２７】
　制御ＩＣ３８は、スイッチング素子ＱＦ１をスイッチング制御するためのＩＣチップとして構成され、ＨＶ端子と、ＦＢ端子と、ＧＮＤ端子と、ＤＲＶ端子と、ＶＣＣ端子とを備える。ＨＶ端子は、ダイオードＤ１を介して第１の整流平滑回路２１の入力側に接続され、制御ＩＣ３８の起動用の電圧が入力される。ＦＢ端子は、フォトカプラーＰＣ１のフォトトランジスターＰＴ１のコレクターに接続され、上述した定電圧制御回路３２のフィードバック信号が入力される。ＧＮＤ端子は、グランドに接地されており、また、ＤＲＶ端子は、スイッチング回路２３のスイッチング素子ＱＦ１のゲートにスイッチング用の信号（以下、スイッチング信号）を出力する。ＶＣＣ端子は、駆動用電圧出力回路３４の第１の出力ライン３５ａと第２の出力ライン３５ｂとに接続されており、駆動用電圧が入力される。この制御ＩＣ３８は、スイッチング制御をしていない間はＨＶ端子から入力される電圧により駆動し、スイッチング制御をしている間は駆動用電圧出力回路３４の第１の出力ライン３５ａまたは第２の出力ライン３５ｂから出力されてＶＣＣ端子から入力される駆動用電圧により駆動する。
【００２８】
　
この制御ＩＣ３８では、定電圧制御回路３２からのフィードバック信号に基づいて、スイッチング信号を生成し、生成したスイッチング信号をＤＲＶ端子からスイッチング回路２３（スイッチング素子ＱＦ１）に出力する
ｃ　「【００４０】
　図３に示すように、電源回路２０Ｂは、本実施形態の図２の駆動用電圧出力回路３４に代えて駆動用電圧出力回路３４Ｂを備える以外（さらにいえば、スイッチ切替回路３６に代えてスイッチ切替回路３６Ｂを備える以外）は、図２の電源回路２０の各構成と同一の構成を備えるため、同一の構成については同一の符号を付してその説明を省略する。この駆動用電圧出力回路３４Ｂは、第１の出力ライン３５ａと、第２の出力ライン３５ｂと、第１の出力ライン３５ａの導通と遮断とを切り替えるスイッチング素子ＱＦ２と、スイッチング素子ＱＦ２のオンオフを切り替えるためのスイッチ切替回路３６Ｂとを備える。この
スイッチ切替回路３６Ｂは、スイッチング素子ＱＦ２のゲート−ソース間に接続された抵抗Ｒ１と、スイッチング素子ＱＦ２のゲートに接続された抵抗Ｒ２と、フォトカプラーＰＣ２とを備える。このフォトカプラーＰＣ２は、アノード側が制御信号ＣＳラインに接続されカソード側がグランドＧＮＤに接地された発光ダイオードＰＤ２と、コレクターが抵抗Ｒ２を介してスイッチング素子ＱＦ２のゲートに接続されエミッターがグランドに接地されたフォトトランジスターＰＴ２とから構成される
【００４１】
　このように構成された駆動用電圧出力回路３４Ｂでは
、プリンター６０から制御信号ＣＳが入力される場合には
第１の出力ライン３５ａが導通されて第１の補助巻線２５ｃからの電圧Ｖ１が制御ＩＣ３８に供給される
一方、プリンター６０から制御信号ＣＳが入力されない場合には
第１の出力ライン３５ａが遮断されて、巻数の少ない第２の補助巻線２５ｄからの電圧Ｖ２が制御ＩＣ３８に供給される
ｄ　「図２
」 
ｅ　「図３
」
（イ）上記ｂの段落【００１６】には，「ＡＣアダプター１０は、商用電源（ＡＣ１００Ｖなど）を入力し高電圧の直流電圧（ＤＣ４０Ｖなど）か低電圧の直流電圧（ＤＣ１０Ｖなど）のいずれかに変換してプリンター６０に供給する。」こと，また，段落【００１９】には，「ＡＣアダプター１０の電源回路２０は、」「第１の整流平滑回路２１と、スイッチング回路２３と、トランス２５と、第２の整流平滑回路２７と、定電圧制御回路３２と、駆動用電圧出力回路３４と、制御ＩＣ３８とを備える」ことが記載されている。
　してみると，引用文献１には，“第１の整流平滑回路２１と，スイッチング回路２３と，トランス２５と，第２の整流平滑回路２７と，定電圧制御回路３２と，駆動用電圧出力回路３４と，制御ＩＣ３８とを備え，商用電源（ＡＣ１００Ｖなど）を入力し高電圧の直流電圧（ＤＣ４０Ｖなど）か低電圧の直流電圧（ＤＣ１０Ｖなど）のいずれかに変換してプリンター６０に供給するＡＣアダプター１０の電源回路２０”が記載されているといえる。
（ウ）上記ｂの段落【００２１】には，「スイッチング回路２３は、ゲートが制御ＩＣ３８の後述するＤＲＶ端子に接続されドレインがトランス２５に接続されソースがグランドに接地されたスイッチング素子（ＭＯＳＦＥＴ）ＱＦ１と、図示しない抵抗などとにより構成されている。このスイッチング回路２３では、第１の整流平滑回路２１から出力される直流電圧をスイッチング素子ＱＦ１のスイッチング動作により交流電圧に変換する」ことが記載されている。
（エ）上記ｂの段落【００２２】には，「トランス２５は、第１の整流平滑回路２１の出力側とスイッチング回路２３のスイッチング素子ＱＦ１のドレインとに接続された１次巻線２５ａと、第２の整流平滑回路２７に接続された２次巻線２５ｂと、駆動用電圧出力回路３４に接続された第１の補助巻線２５ｃおよび第２の補助巻線２５ｄとにより構成されている」こと，また，「第１の補助巻線２５ｃは、一端がグランドに接地され他端が駆動用電圧出力回路３４の後述するダイオードＤ２のアノード側に接続され、第２の補助巻線２５ｄは、一端がグランドに接地され他端が駆動用電圧出力回路３４の後述するダイオードＤ３のアノード側に接続されている。また、第１の補助巻線２５ｃの巻数が第２の補助巻線２５ｄの巻数よりも多くなるよう構成されている」ことが記載されている。
　してみると，引用文献１には，“トランス２５は，第１の整流平滑回路２１の出力側とスイッチング回路２３のスイッチング素子ＱＦ１のドレインとに接続された１次巻線２５ａと，第２の整流平滑回路２７に接続された２次巻線２５ｂと，駆動用電圧出力回路３４に接続された第１の補助巻線２５ｃおよび第２の補助巻線２５ｄとにより構成され，さらに，第１の補助巻線２５ｃは，一端がグランドに接地され他端が駆動用電圧出力回路３４のダイオードＤ２のアノード側に接続され，第２の補助巻線２５ｄは，一端がグランドに接地され他端が駆動用電圧出力回路３４のダイオードＤ３のアノード側に接続され，また，第１の補助巻線２５ｃの巻数が第２の補助巻線２５ｄの巻数よりも多くなるよう構成されている”ことが記載されているといえる。
　
（オ）上記ｂの段落【００２３】には，「第２の整流平滑回路２７は、トランス２５の２次巻線２５ｂにアノード側が接続されたダイオードＤ４と、ダイオードＤ４のカソード側に接続された平滑コンデンサーＣ４とにより構成されている。この第２の整流平滑回路２７では、トランス２５の２次巻線２５ｂに誘起された交流電圧をダイオードＤ４により半波整流し平滑コンデンサーＣ４により平滑した直流電圧を電力ラインＶｏｕｔとＧＮＤライン間に出力電圧（電圧Ｖｏｕｔ）として出力する」ことが記載されている。
（カ）上記ｂの段落【００２４】には，「定電圧制御回路３２は、フォトカプラーＰＣ１と、２つのツェナーダイオードＺＤ１，ＺＤ２と、トランジスターＱ３とにより構成されている」こと，また，「トランジスターＱ３は、エミッターがグランド（ＧＮＤライン）に接地され、ベースが制御信号ＣＳラインに接続されており、制御信号ＣＳが入力されるときにオンして、制御信号ＣＳが入力されないときにオフする」こと，さらに，段落【００２５】には，「プリンター６０がスリープ状態にあるときには、プリンター６０から制御信号ＣＳが入力されてトランジスターＱ３がオンされるから」「電圧Ｖｏｕｔが比較的低い状態であっても」「制御ＩＣ３８のＦＢ端子に定電圧制御用の信号（以下、フィードバック信号）が入力されることになる。」「このとき」「フィードバック信号は、電圧Ｖｏｕｔに応じた信号として制御ＩＣ３８に入力される」こと，さらに，「プリンター６０が通常状態にあるときには、プリンター６０から制御信号ＣＳが入力されずトランジスターＱ３がオフされるから」「電圧Ｖｏｕｔが高い（電圧ＶｏｕｔがツェナーダイオードＺＤ１のツェナー電圧よりも高い）状態になると」「フィードバック信号が制御ＩＣ３８に入力されることになる。」「この場合も、フィードバック信号は、電圧Ｖｏｕｔに応じた信号として制御ＩＣ３８に入力される」ことが記載されている。
　してみると，引用文献１には，“定電圧制御回路３２は，フォトカプラーＰＣ１と，２つのツェナーダイオードＺＤ１，ＺＤ２と，トランジスターＱ３とにより構成され，さらに，トランジスターＱ３は，エミッターがグランド（ＧＮＤライン）に接地され，ベースが制御信号ＣＳラインに接続されており，制御信号ＣＳが入力されるときにオンして，制御信号ＣＳが入力されないときにオフするものであって，プリンター６０がスリープ状態にあるときには，プリンター６０から制御信号ＣＳが入力されてトランジスターＱ３がオンされ，電圧Ｖｏｕｔが比較的低い状態であっても制御ＩＣ３８のＦＢ端子に電圧Ｖｏｕｔに応じた定電圧制御用の信号（以下，フィードバック信号）を入力し，さらに，プリンター６０が通常状態にあるときには，プリンター６０から制御信号ＣＳが入力されずトランジスターＱ３がオフされ，電圧Ｖｏｕｔが高い状態になると電圧Ｖｏｕｔに応じたフィードバック信号を制御ＩＣ３８に入力する”ことが記載されているといえる。
（キ）上記ｂの段落【００２６】には，「駆動用電圧出力回路３４は、第１の補助巻線２５ｃに誘起された交流電圧をダイオードＤ２と平滑コンデンサーＣ３とにより整流し平滑した電圧Ｖ１を制御ＩＣ３８に出力可能な第１の出力ライン３５ａと、第２の補助巻線２５ｄに誘起された交流電圧をダイオードＤ３と平滑コンデンサーＣ２とにより整流し平滑した電圧Ｖ２を制御ＩＣ３８に出力可能な第２の出力ライン３５ｂとを有している」こと，さらに，「駆動用電圧出力回路３４は、第１の出力ライン３５ａにドレインとソースが接続されて第１の出力ライン３５ａの導通と遮断とを切り替えるスイッチとしてのスイッチング素子（ＭＯＳＦＥＴ）ＱＦ２と、このスイッチング素子ＱＦ２のオンオフを切り替えるためのスイッチ切替回路３６とを有している」こと記載されている。
　また，上記ｃの段落【００４０】には「駆動用電圧出力回路３４」の「スイッチ切替回路３６」の別の実施形態として，「スイッチ切替回路３６Ｂ」」が，「スイッチング素子ＱＦ２のゲート−ソース間に接続された抵抗Ｒ１と、スイッチング素子ＱＦ２のゲートに接続された抵抗Ｒ２と、フォトカプラーＰＣ２とを備える。このフォトカプラーＰＣ２は、アノード側が制御信号ＣＳラインに接続されカソード側がグランドＧＮＤに接地された発光ダイオードＰＤ２と、コレクターが抵抗Ｒ２を介してスイッチング素子ＱＦ２のゲートに接続されエミッターがグランドに接地されたフォトトランジスターＰＴ２とから構成される」こと，さらに，段落【００４１】には，「プリンター６０から制御信号ＣＳが入力される場合には、」「第１の出力ライン３５ａが導通されて第１の補助巻線２５ｃからの電圧Ｖ１が制御ＩＣ３８に供給される。」「一方、プリンター６０から制御信号ＣＳが入力されない場合には」「第１の出力ライン３５ａが遮断されて、巻数の少ない第２の補助巻線２５ｄからの電圧Ｖ２が制御ＩＣ３８に供給される」ことが記載されている。
　してみると，引用文献１には，“駆動用電圧出力回路３４は，第１の補助巻線２５ｃに誘起された交流電圧を整流し平滑した電圧Ｖ１を制御ＩＣ３８に出力可能な第１の出力ライン３５ａと，第２の補助巻線２５ｄに誘起された交流電圧を整流し平滑した電圧Ｖ２を制御ＩＣ３８に出力可能な第２の出力ライン３５ｂとを有し，また，駆動用電圧出力回路３４は，第１の出力ライン３５ａにドレインとソースが接続されて第１の出力ライン３５ａの導通と遮断とを切り替えるスイッチとしてのスイッチング素子（ＭＯＳＦＥＴ）ＱＦ２と，このスイッチング素子ＱＦ２のオンオフを切り替えるためのスイッチ切替回路３６Ｂとを有し，さらに，該スイッチ切替回路３６Ｂが，スイッチング素子ＱＦ２のゲート−ソース間に接続された抵抗Ｒ１と，スイッチング素子ＱＦ２のゲートに接続された抵抗Ｒ２と，フォトカプラーＰＣ２とを備え，このフォトカプラーＰＣ２は，アノード側が制御信号ＣＳラインに接続されカソード側がグランドＧＮＤに接地された発光ダイオードＰＤ２と，コレクターが抵抗Ｒ２を介してスイッチング素子ＱＦ２のゲートに接続されエミッターがグランドに接地されたフォトトランジスターＰＴ２とから構成され，プリンター６０から制御信号ＣＳが入力される場合には，第１の出力ライン３５ａが導通されて第１の補助巻線２５ｃからの電圧Ｖ１を制御ＩＣ３８に供給し，一方，プリンター６０から制御信号ＣＳが入力されない場合には，第１の出力ライン３５ａが遮断されて，巻数の少ない第２の補助巻線２５ｄからの電圧Ｖ２を制御ＩＣ３８に供給する”ことが記載されているといえる。
（ケ）上記ｂの段落【００２８】には，「この制御ＩＣ３８では、定電圧制御回路３２からのフィードバック信号に基づいて、スイッチング信号を生成し、生成したスイッチング信号をＤＲＶ端子からスイッチング回路２３（スイッチング素子ＱＦ１）に出力する」ことが記載されている。
（コ）したがって，上記引用文献１の上記各記載及び図面を総合すると，引用文献１には次の発明（以下，「引用発明」という。）が記載されている。
「第１の整流平滑回路２１と，スイッチング回路２３と，トランス２５と，第２の整流平滑回路２７と，定電圧制御回路３２と，駆動用電圧出力回路３４と，制御ＩＣ３８とを備え，商用電源（ＡＣ１００Ｖなど）を入力し高電圧の直流電圧（ＤＣ４０Ｖなど）か低電圧の直流電圧（ＤＣ１０Ｖなど）のいずれかに変換してプリンター６０に供給するＡＣアダプター１０の電源回路２０において，
　スイッチング回路２３は，ゲートが制御ＩＣ３８に接続されドレインがトランス２５に接続されソースがグランドに接地されたスイッチング素子（ＭＯＳＦＥＴ）ＱＦ１と，抵抗などとにより構成され，第１の整流平滑回路２１から出力される直流電圧をスイッチング素子ＱＦ１のスイッチング動作により交流電圧に変換するものであり，
　トランス２５は，第１の整流平滑回路２１の出力側とスイッチング回路２３のスイッチング素子ＱＦ１のドレインとに接続された１次巻線２５ａと，第２の整流平滑回路２７に接続された２次巻線２５ｂと，駆動用電圧出力回路３４に接続された第１の補助巻線２５ｃおよび第２の補助巻線２５ｄとにより構成され，さらに，第１の補助巻線２５ｃは，一端がグランドに接地され他端が駆動用電圧出力回路３４のダイオードＤ２のアノード側に接続され，第２の補助巻線２５ｄは，一端がグランドに接地され他端が駆動用電圧出力回路３４のダイオードＤ３のアノード側に接続され，また，第１の補助巻線２５ｃの巻数が第２の補助巻線２５ｄの巻数よりも多くなるよう構成されているものであり，
　第２の整流平滑回路２７は，トランス２５の２次巻線２５ｂに誘起された交流電圧をダイオードＤ４により半波整流し平滑コンデンサーＣ４により平滑した直流電圧を電力ラインＶｏｕｔとＧＮＤライン間に出力電圧（電圧Ｖｏｕｔ）として出力するものであり，
　定電圧制御回路３２は，フォトカプラーＰＣ１と，２つのツェナーダイオードＺＤ１，ＺＤ２と，トランジスターＱ３とにより構成され，さらに，トランジスターＱ３は，エミッターがグランド（ＧＮＤライン）に接地され，ベースが制御信号ＣＳラインに接続されており，制御信号ＣＳが入力されるときにオンして，制御信号ＣＳが入力されないときにオフするものであって，プリンター６０がスリープ状態にあるときには，プリンター６０から制御信号ＣＳが入力されてトランジスターＱ３がオンされ，電圧Ｖｏｕｔが比較的低い状態であっても制御ＩＣ３８のＦＢ端子に電圧Ｖｏｕｔに応じた定電圧制御用の信号（以下，フィードバック信号）を入力し，さらに，プリンター６０が通常状態にあるときには，プリンター６０から制御信号ＣＳが入力されずトランジスターＱ３がオフされ，電圧Ｖｏｕｔが高い状態になると電圧Ｖｏｕｔに応じたフィードバック信号を制御ＩＣ３８に入力するものであり，
　駆動用電圧出力回路３４は，第１の補助巻線２５ｃに誘起された交流電圧を整流し平滑した電圧Ｖ１を制御ＩＣ３８に出力可能な第１の出力ライン３５ａと，第２の補助巻線２５ｄに誘起された交流電圧を整流し平滑した電圧Ｖ２を制御ＩＣ３８に出力可能な第２の出力ライン３５ｂとを有し，また，駆動用電圧出力回路３４は，第１の出力ライン３５ａにドレインとソースが接続されて第１の出力ライン３５ａの導通と遮断とを切り替えるスイッチとしてのスイッチング素子（ＭＯＳＦＥＴ）ＱＦ２と，このスイッチング素子ＱＦ２のオンオフを切り替えるためのスイッチ切替回路３６Ｂとを有し，さらに，該スイッチ切替回路３６Ｂが，スイッチング素子ＱＦ２のゲート−ソース間に接続された抵抗Ｒ１と，スイッチング素子ＱＦ２のゲートに接続された抵抗Ｒ２と，フォトカプラーＰＣ２とを備え，このフォトカプラーＰＣ２は，アノード側が制御信号ＣＳラインに接続されカソード側がグランドＧＮＤに接地された発光ダイオードＰＤ２と，コレクターが抵抗Ｒ２を介してスイッチング素子ＱＦ２のゲートに接続されエミッターがグランドに接地されたフォトトランジスターＰＴ２とから構成され，プリンター６０から制御信号ＣＳが入力される場合には，第１の出力ライン３５ａが導通されて第１の補助巻線２５ｃからの電圧Ｖ１を制御ＩＣ３８に供給し，一方，プリンター６０から制御信号ＣＳが入力されない場合には，第１の出力ライン３５ａが遮断されて，巻数の少ない第２の補助巻線２５ｄからの電圧Ｖ２を制御ＩＣ３８に供給するものであり，
　制御ＩＣ３８では，定電圧制御回路３２からのフィードバック信号に基づいて，スイッチング信号を生成し，生成したスイッチング信号をＤＲＶ端子からスイッチング回路２３（スイッチング素子ＱＦ１）に出力するものである，
　ＡＣアダプター１０の電源回路２０。」
２．引用文献２について
　本願の出願日前に頒布され，原査定の拒絶の理由に引用された特開２０１１−１０３９７号公報（以下，これを「引用文献２」という。）には，図面とともに次の事項が記載されている。
ａ　「【００４４】
　以下に図１、図２、図３に基づき本実施例の動作を説明する。図１の擬似共振コンバータは、Ｒａ，Ｒｂ，Ｒｃ，Ｒ８，ＦＥＴ２からなる出力電圧設定回路を有する。出力電圧設定回路には、電子機器（以下、機器という）の制御素子ＣＰＵ１から、パワーセーブ信号／ＰＳＡＶＥが供給されている。ＣＰＵ１は、／ＰＳＡＶＥ信号を用いて機器を通常モードからパワーセーブモードに移行させる。
【００４５】
　
ＣＰＵ１は、機器を通常モードに設定する時には、／ＰＳＡＶＥ信号をＨレベルとし、機器をパワーセーブモードに設定する時には、／ＰＳＡＶＥ信号をＬレベルとする。この／ＰＳＡＶＥ信号は、ＦＥＴ２に供給されており、通常モード、即ち／ＰＳＡＶＥ信号がＨレベルの場合、ＦＥＴ２はオンし、抵抗Ｒｂと抵抗Ｒｃが並列に接続される。出力電圧を、抵抗Ｒａと、この並列抵抗（Ｒｂ／／Ｒｃ）で分圧した電圧がシャントレギュレータＩＣ１のｒｅｆ端子に供給されることとなる。
　　　　　　　　　　　・・・中略・・・
【００４９】
　一方
、パワーセーブモード、即ち／ＰＳＡＶＥ信号がＬレベルの場合は、ＦＥＴ２はオフしてＲｃは切り離される。よって、シャントレギュレータＩＣ１のｒｅｆ端子に供給される電圧は、出力電圧をＲａとＲｂで分圧した電圧となる
ｂ　「図１
　　　　　　　　　　　　　　　　　　　　　　　　　　　　　　　　」
　
３．引用文献３について
　本願の出願日前に頒布され，原査定の拒絶の理由に引用された特開平１１−１８４２５号公報（以下，これを「引用文献３」という。）には，図面とともに次の事項が記載されている。
ａ　「【００１７】保護回路２６は、シットダウンラッチ回路２６２、過熱保護回路２６４、
過電圧保護回路２６６を有している
過電圧保護回路２６６は、正電源電圧Ｖccに過電圧が発生すると
シャットダウンする
ｂ　「【００２１】
低電圧誤動作防止回路３３は
正電源電圧Ｖccが低いときにＩＣの誤動作を防止する働きをする
ｃ　「図１
　　　　　　　　　　　　　　　　　　　　　　　　　　　　　　」
第５　対比・判断
１．本願発明１について
（１）対比
　本願発明１と引用発明とを対比する。
（ア）引用発明の「トランス２５」，「１次巻線２５ａ」は，本願発明１の「トランス」，「一次巻線」に相当する。
　また，引用発明の「スイッチング素子（ＭＯＳＦＥＴ）ＱＦ１」は，「ドレイン」が「トランス２５」の「１次巻線２５ａ」に接続されスイッチング動作するものであるから，本願発明１の「トランスの一次巻線を介して流れる電流をオン・オフするスイッチング素子」に相当する。
（イ）引用発明の「２次巻線２５ｂ」，「出力電圧（電圧Ｖｏｕｔ）」は，本願発明１の「二次巻線」，「出力電圧」に相当する。
　引用発明の「第２の整流平滑回路２７」は，「トランス２５の２次巻線２５ｂに誘起された交流電圧をダイオードＤ４により半波整流し平滑コンデンサーＣ４により平滑した直流電圧を電力ラインＶｏｕｔとＧＮＤライン間に出力電圧（電圧Ｖｏｕｔ）として出力するもの」であるから，本願発明１の「前記トランスの二次巻線に誘起される電圧を整流・平滑化して所定の出力電圧を得る出力回路」に相当する。
（ウ）引用発明の「定電圧制御用の信号（以下，フィードバック信号）」は，「第２の整流平滑回路２７」が出力する「電圧Ｖｏｕｔ」に応じた信号であるから，引用発明の「フィードバック信号」と，本願発明１の「前記出力回路の前記出力電圧を抵抗分割して検出される検出電圧と、所定の基準電圧との誤差電圧として求められるフィードバック電圧」とは，“前記出力回路の前記出力電圧をフィードバックする値”の点で共通する。
　さらに，引用発明の「制御ＩＣ３８」は，「フィードバック信号に基づいて，スイッチング信号を生成し，生成したスイッチング信号をＤＲＶ端子からスイッチング回路２３（スイッチング素子ＱＦ１）に出力するものである」から，引用発明の「制御ＩＣ３８」と，本願発明１の「前記出力回路の前記出力電圧を抵抗分割して検出される検出電圧と、所定の基準電圧との誤差電圧として求められるフィードバック電圧に従って前記スイッチング素子のオン・オフを制御する制御回路」とは，後記する点で相違（相違点１）するものの，“前記出力回路の前記出力電圧をフィードバックする値に従って前記スイッチング素子のオン・オフを制御する制御回路”の点で共通する。
（エ）引用発明の「第１の補助巻線２５ｃ」は，本願発明１の「補助巻線」に相当する。
　そして，引用発明の「電圧Ｖ１」は，「第１の補助巻線２５ｃに誘起された交流電圧を整流し平滑した」電圧であるから，本願発明１の「前記トランスの補助巻線から取り出される電圧に応じた第１電源電圧」に相当する。
　また，引用発明の「電圧Ｖ２」は，「第２の補助巻線２５ｄに誘起された交流電圧を整流し平滑した」電圧である。さらに，引用文献１の図２（上記「第４　１．　ｄ」））を参照すると，「第２の補助巻線２５ｄ」は「第１の補助巻線２５ｃ」の中間部分までと認められる。してみると，引用発明の「電圧Ｖ２」は，本願発明１の「前記トランスの補助巻線の中間タップから取り出される電圧に応じた第２電源電圧」に相当する。
　そして，引用発明の「駆動用電圧出力回路３４」は，「電圧Ｖ１を制御ＩＣ３８に出力可能な第１の出力ライン３５ａ」と，「電圧Ｖ２を制御ＩＣ３８に出力可能な第２の出力ライン３５ｂとを有」するものであるから，本願発明１の「前記トランスの補助巻線から取り出される電圧に応じた第１電源電圧と前記トランスの補助巻線の中間タップから取り出される電圧に応じた第２電源電圧とを生成可能であって、前記第１電源電圧または前記第２電源電圧を前記制御回路へと供給する電源電圧生成回路」に相当する。
（オ）引用発明の「定電圧制御回路３２」は，「プリンター６０がスリープ状態にあるときには，プリンター６０から制御信号ＣＳが入力されてトランジスターＱ３がオンされ，電圧Ｖｏｕｔが比較的低い状態であっても制御ＩＣ３８のＦＢ端子に電圧Ｖｏｕｔに応じた定電圧制御用の信号（以下，フィードバック信号）を入力し，さらに，プリンター６０が通常状態にあるときには，プリンター６０から制御信号ＣＳが入力されずトランジスターＱ３がオフされ，電圧Ｖｏｕｔが高い状態になると電圧Ｖｏｕｔに応じたフィードバック信号を制御ＩＣ３８に入力するもので」あるから，「プリンター６０」からの「制御信号ＣＳ」によって「スリープ状態」と「通常状態」で「フィードバック信号」の生成条件を「比較的低い状態」と「高い状態」で切り換えているものと認められる。そして、「電圧Ｖｏｕｔ」は「比較的低い状態」で制御が行われれば「低電圧」に、「高い状態」で制御が行われれば「高電圧」に切換わること明らかであって，また，「プリンター６０が通常状態」と「スリープ状態」で負荷の重さが異なることは当然である。
　してみると，引用発明の「定電圧制御回路３２」と，本願発明１の「前記出力電圧が供給される負荷の重さに応じて前記出力電圧を切換える出力電圧切換回路」及び「前記出力電圧切換回路は、前記負荷の重さに応じて、前記出力電圧に対する抵抗分割比を変更して前記フィードバック電圧の生成条件を切換えるものであ」ることは，後記する点で相違（相違点２）するものの，「前記出力電圧が供給される負荷の重さに応じて前記出力電圧を切換える出力電圧切換回路」及び「前記出力電圧切換回路は、前記負荷の重さに応じて、前記フィードバックする値の生成条件を切換えるものであ」る点で共通する。
（カ）引用発明の「スイッチ切替回路３６Ｂ」は，「プリンター６０から制御信号ＣＳが入力される場合には，第１の出力ライン３５ａが導通されて第１の補助巻線２５ｃからの電圧Ｖ１を制御ＩＣ３８に供給し，一方，プリンター６０から制御信号ＣＳが入力されない場合には，第１の出力ライン３５ａが遮断されて，巻数の少ない第２の補助巻線２５ｄからの電圧Ｖ２を制御ＩＣ３８に供給するものであり」，また，上記（オ）で検討したように，「プリンター６０から制御信号ＣＳ」によって「電圧Ｖｏｕｔ」は切り換わるものであるから，引用発明の「スイッチ切替回路３６Ｂ」は，本願発明１の「前記出力電圧の切換えに連動して、前記電源電圧生成回路が供給する前記第１電源電圧と前記第２電源電圧とを切換える電源電圧切換回路」に相当する。
（キ）引用発明の「電源回路２０」は，「スイッチング素子（ＭＯＳＦＥＴ）ＱＦ１」と，「第２の整流平滑回路２７」と，「制御ＩＣ３８」と，「駆動用電圧出力回路３４」と，「定電圧制御回路３２」と，「スイッチ切替回路３６Ｂ」とを備えるものであるから，本願発明１の「スイッチング電源装置」に相当する。
　したがって，本願発明１と引用発明との間には，以下の一致点と相違点とがある。
〈一致点〉
「トランスの一次巻線を介して流れる電流をオン・オフするスイッチング素子と，
　前記トランスの二次巻線に誘起される電圧を整流・平滑化して所定の出力電圧を得る出力回路と，
　前記出力回路の前記出力電圧をフィードバックする値に従って前記スイッチング素子のオン・オフを制御する制御回路と，
　前記トランスの補助巻線から取り出される電圧に応じた第１電源電圧と前記トランスの補助巻線の中間タップから取り出される電圧に応じた第２電源電圧とを生成可能であって，前記第１電源電圧または前記第２電源電圧を前記制御回路へと供給する電源電圧生成回路と，
　前記出力電圧が供給される負荷の重さに応じて前記出力電圧を切換える出力電圧切換回路と，
　前記出力電圧の切換えに連動して，前記電源電圧生成回路が供給する前記第１電源電圧と前記第２電源電圧とを切換える電源電圧切換回路と，
を備え，
　前記出力電圧切換回路は，前記負荷の重さに応じて，前記フィードバックする値の生成条件を切換えるものである，
　スイッチング電源装置。」
〈相違点１〉
　前記「フィードバックする値」が，本願発明１では「前記出力回路の前記出力電圧を抵抗分割して検出される検出電圧と、所定の基準電圧との誤差電圧として求められる」ものであるのに対して，引用発明ではそのようなものではない点。
〈相違点２〉
　前記「フィードバックする値の生成条件」の切換えが，本願発明１では「前記出力電圧に対する抵抗分割比を変更」することで行われるものであるのに対して，引用発明ではそのようなものではない点。
〈相違点３〉
　前記「制御回路」が，本願発明１では「前記制御回路に供給される電源電圧が最大定格電圧より下の電圧閾値ＯＶＰより高くなると機能する過電圧保護手段と、電源電圧が電圧閾値ＵＶＬＯより低くなると機能する低電圧誤動作防止手段とを有し」，さらに，「前記制御回路に供給される電源電圧は、前記電源電圧切換回路による切換の前後で、前記補助巻線の巻数と前記補助巻線の中間タップまでの巻数とにより、電圧閾値ＯＶＰより２Ｖ低い上限および電圧閾値ＵＶＬＯより３Ｖ高い下限を有する推奨範囲に入るよう調整されるととも、前記制御回路は、前記電源電圧切換回路による切換の前後で、前記過電圧保護手段と前記低電圧誤動作防止手段とを継続して機能させる」ものであるのに対して，引用発明ではそのような「過電圧保護手段」と「低電圧誤動作防止手段」を有しておらず，さらに，切換の前後で電源電圧がそのような推奨範囲に入るよう調整されていない点。
（２）相違点についての判断
　事案に鑑み，上記相違点３について検討する。
　制御回路が閾値電圧より高くなると動作する過電圧保護手段，及び，閾値電圧より低くなると動作する低電圧誤動作防止手段を有することは引用文献３（上記「第４　３．」）に記載されるように周知の技術である。
　してみると，引用発明の「制御ＩＣ３８」に該周知の技術を適用して，過電圧保護手段及び低電圧誤動作防止手段を設け，制御手段に供給する電圧を過電圧保護手段及び低電圧誤動作防止手段の閾値の範囲とすることは，当業者が容易に想到し得たことと認められる。
　しかしながら，本願発明１は，さらに，制御回路に供給する電源電圧が，トランスＴにおける巻線間の結合度やスイッチング電源装置の動作周波数，更には制御回路の消費電流に依存して，変化するために一定とはならないために，制御回路ＩＣが有する過電圧保護機能および低電圧誤動作防止機能を活かしながら制御回路の安定した動作を保証するために，切換の前後で余裕を見込んだ前記過電圧保護用の電圧閾値ＯＶＰより２Ｖ低い上限および低電圧誤動作防止用の電圧閾値ＵＶＬＯより３Ｖ高い下限を有する推奨範囲内で電源電圧を切換えるものである。
　そして，切換の前後でこのような推奨範囲内で電源電圧を切換えることが周知の技術であったとはいえない。
　また，引用文献２（上記「第４　２．」）には，負荷の重さに応じて設定される制御信号にしたがって電圧に対する抵抗分割比を変更してフィードバック電圧の生成条件を切り換えることは記載されているが，このような推奨範囲に関しては記載されていない。
　したがって，本願発明１が引用発明，引用文献２及び３に記載の技術事項に基づき当業者が容易に構成し得たものであるとはいえない。
　以上のとおりであるから，上記相違点１及び２について検討するまでもなく，本願発明１は，引用発明，引用文献２及び３に記載の技術事項に基づき当業者が容易に発明できたものであるとはいえない。
　　　
２．本願発明２乃至６について
　本願発明２乃至６は，本願発明１を更に限定したものであるので，同様に，当業者であっても引用発明，引用文献２及び３に記載の技術事項に基づいて容易に発明をすることができたものであるとはいえない。
第６　原査定について
１．特許法第２９条第２項について
　審判請求時の補正は，請求項２を削除し補正前の請求項１，３−７を本願発明１乃至６としたものであり，当業者であっても，拒絶査定において引用された引用文献１乃至３に基づいて，容易に発明できたものとはいえない。　したがって，原査定の理由を維持することはできない。
第７　むすび
　以上のとおり，原査定の理由によっては，本願を拒絶することはできない。
　また，他に本願を拒絶すべき理由を発見しない。
　よって，結論のとおり審決する。